(57)【要約】 【課題】  同じ厚さのパネルであれば、より高い強度を発揮すると共にパネルの面積も大きく広げることができ、より多くの用途に適応できる新規な接着剤を使用しない無垢木材集成パネル及びこの無垢木材集成パネルに使用する小幅板を提供する。【解決手段】  小幅板１の表裏面に、一辺が小幅板の幅寸法と同一の寸法からなる正方形形状の凹凸部２，３を有し、この凹凸部２，３を、小幅板１の長手方向に交互に形成して構成した凹凸部２，３を有する内部構造用小幅板１を多数設け、複数の内部構造用小幅板１をそれぞれの凹凸部２，３の位置を交互にずらせて横並びに並設し、同じく、複数の内部構造用小幅板１を上記横並びに並設した小幅板１に直交させて重ね、それぞれの凹凸部を２，３噛み合わせて二層構造とし、少なくともこの二層構造を含んでいるものである。【選択図】    図７
2005074817.tif 000002
【特許請求の範囲】
【請求項１】
小幅板の表裏面に、一辺が小幅板の幅寸法と同一の寸法からなる正方形形状の凹凸部を有し、この凹凸部を、小幅板の長手方向に交互に形成して構成した凹凸部を有する内部構造用小幅板を多数設け、複数の内部構造用小幅板をそれぞれの凹凸部の位置を交互にずらせて横並びに並設し、同じく複数の内部構造用小幅板を上記横並びに並設した小幅板に直交させて重ね、それぞれの凹凸部を噛み合わせて二層構造とし、少なくともこの二層構造を含んでいる、接着剤を使用しない無垢木材集成パネル。
【請求項２】
上記請求項１に記載の二層構造の片面又は両面に、さらに複数の内部構造用小幅板を直交して重ねて相互の凹凸部を噛み合わせて複層構造とし、この複層構造を含んでいる、接着剤を使用しない無垢木材集成パネル。
【請求項３】
上記凹凸部を有する内部構造用小幅板の表裏の同一位置に凸部と凹部を配置してある上記請求項１又は２に記載の接着剤を使用しない無垢木材集成パネル。
【請求項４】
上記凹凸部を有する内部構造用小幅板の表裏の同一位置に凸部同士と凹部同士を配置してある上記請求項１又は２に記載の接着剤を使用しない無垢木材集成パネル。
【請求項５】
上記請求項３又は４に記載の凹凸部の配置が同一形状からなる多数の小幅板を交互に直交して重ねて構成してある上記請求項１又は２に記載の接着剤を使用しない無垢木材集成パネル。
【請求項６】
上記請求項３又は４に記載の凹凸部の配置が異なる形状からなる多数の小幅板を交互に直交して重ねて構成してある上記請求項１又は２に記載の接着剤を使用しない無垢木材集成パネル。
【請求項７】
表面を平面とし、裏面に上記同一寸法の正方形状の凹凸部を長手方向に交互に形成した表面仕上げ用小幅板を設け、一枚の内部構造用小幅板又は上記請求項１又は２に記載の二層構造又は複層構造の表裏面に、上記表面仕上げ用小幅板をそれぞれの凹凸部を噛み合わせて構成した、接着剤を使用しない無垢木材集成パネル。
【請求項８】
表裏面に、上記正方形状の凹凸部と同一寸法の凸部をその一辺が小幅板の側辺と４５度傾斜させた位置で小幅板の長手方向に連続して設けた斜め配置用小幅板を設け、この斜め配置用小幅板を上記請求項１乃至５に記載の内部構造用小幅板に４５度傾斜させて配置し、相互の凹凸部を噛み合わせて構成した上記請求項１乃至７の何れかに記載の接着剤を使用しない無垢木材集成パネル。
【請求項９】
上記凹凸部を噛み合わせて構成した二層構造又は複層構造に、込栓、だぼ、木釘、ネジ釘等を打込み固定してある上記請求項１乃至９の何れかに記載の接着剤を使用しない無垢木材集成パネル。
【請求項１０】
小幅板の表裏面に、小幅板の長手方向に小幅板の幅寸法より僅かに大きい寸法からなる凸部と、小幅板の幅寸法より僅かに小さい寸法からなる凹部を小幅板の幅全部を占めて形成し、それぞれの上記凸部の底部が狭くなるよう、又凹部の底部が広くなるよう、上記凸部の片側辺を斜めに傾斜する傾斜部を形成して凸部と凹部の底部の寸法を小幅板の幅寸法と同一とし、さらに上記凸部の小幅板片側部にも同様の斜めに傾斜する傾斜部を形成した凹凸部を有し、この凹凸部を、小幅板の長手方向に交互に形成して構成した、凹凸部を有する内部構造用小幅板を多数設け、複数の内部構造用小幅板を同一方向に指向してそれぞれの凹凸部の位置を交互にずらせて横並びに並設し、同じく複数の内部構造用小幅板を上記横並びに並設した小幅板に直交させて重ね、それぞれの凹凸部を噛み合わせ係合させて二層構造とし、少なくともこの二層構造を含んでいる、接着剤を使用しない無垢木材集成パネル。
【請求項１１】
上記請求項１０に記載の二層構造の片面又は両面にさらに複数の内部構造用小幅板を直交して重ねて相互の凹凸部を噛み合わせ係合させて複層構造とし、この複層構造を含んでいる、接着剤を使用しない無垢木材集成パネル。
【請求項１２】
上記凹凸部を有する内部構造用小幅板の表裏の同一位置に凸部と凹部を配置してある上記請求項１０又は１１に記載の接着剤を使用しない無垢木材集成パネル。
【請求項１３】
上記凹凸部を有する内部構造用小幅板の表裏の同一位置に凸部同士と凹部同士を配置してある上記請求項１０又は１１に記載の接着剤を使用しない無垢木材集成パネル。
【請求項１４】
上記請求項１２又は１３に記載の凹凸部の配置が同一形状からなる多数の小幅板を交互に直交して重ねて構成してある上記請求項１０又は１１に記載の接着剤を使用しない無垢木材集成パネル。
【請求項１５】
表面を平面とし、裏面に上記傾斜部を有する凹凸部を長手方向に交互に形成した表面仕上げ用小幅板を設け、一枚の内部構造用小幅板又は上記請求項１０又は１１に記載の二層構造又は複層構造の表裏面に、上記表面仕上げ用小幅板をそれぞれの凹凸部を噛み合わせ係合させて構成した、接着剤を使用しない無垢木材集成パネル。
【請求項１６】
小幅板の表面に、小幅板の長手方向に小幅板の幅寸法の２倍の寸法より僅かに大きい寸法からなる凸部と、小幅板の幅寸法の２倍の寸法より僅かに小さい寸法からなる凹部を小幅板の幅全部を占めて形成し、それぞれの上記凸部の底部が狭くなるよう、又凹部の底部が広くなるよう、上記凹部の小幅板長手方向両側辺に斜めに傾斜する傾斜部を形成して凸部と凹部の底部の寸法を小幅板の幅寸法の２倍の寸法とする一方、小幅板の裏面の上記表面の凹部と対応する位置に、小幅板の幅寸法の２倍の寸法からなる凸部を形成し、その片側辺に上記傾斜部と同様の傾斜部を形成し、反対側に角を削除した形状の傾斜部を形成して、表裏に凹凸部を有する内部構造用小幅板を設け、この内部構造用小幅板を、上記裏面の凸部の片側辺の傾斜部が外側になるよう一対の小幅板を組んで、一対からなる内部構造用小幅板の組とし、この一対からなる内部構造用小幅板の組を多数設け、複数の内部構造用小幅板の組を同一方向に指向してそれぞれの凹凸部の位置をずらせて横並びに並設し、同じく複数の内部構造用小幅板の組を上記横並びに並設した小幅板に直交させて重ね、それぞれを凹凸部を噛み合わせ係合させて二層構造とし、少なくともこの二層構造を含んでいる、接着剤を使用しない無垢木材集成パネル。
【請求項１７】
上記請求項１６に記載の二層構造の片面又は両面に、さらに複数の内部構造用小幅板の組を直交して重ねて相互の凹凸部を噛み合わせ係合させて複層構造とし、この複層構造を含んでいる、接着剤を使用しない無垢木材集成パネル。
【請求項１８】
表面を平面とし、裏面に上記傾斜部を有する凹凸部を長手方向に交互に形成した表面仕上げ用小幅板の組を設け、一枚の内部構造用小幅板又は上記請求項１６又は１７に記載の二層構造又は複層構造の表裏面に、上記表面仕上げ用小幅板の組をそれぞれの凹凸部を噛み合わせ係合させて構成した、接着剤を使用しない無垢木材集成パネル。
【請求項１９】
上記請求項１、２又は７に記載の接着剤を使用しない無垢木材集成パネルに使用する小幅板であって、表裏面に一辺が小幅板の幅寸法と同一の寸法からなる正方形形状の凹凸部を有し、この凹凸部を、小幅板の長手方向に交互に形成して構成してある小幅板。
【請求項２０】
表裏の同一位置に凸部と凹部を配置してある上記請求項１９に記載の小幅板。
【請求項２１】
表裏の同一位置に凸部同士と凹部同士を配置してある上記請求項１９に記載の小幅板。
【請求項２２】
上記請求項１０、１１又は１５に記載の接着剤を使用しない無垢木材集成パネルに使用する小幅板であって、表裏面に、小幅板の長手方向に小幅板の幅寸法より僅かに大きい寸法からなる凸部と、小幅板の幅寸法より僅かに小さい寸法からなる凹部を小幅板の幅全部を占めて形成し、それぞれの上記凸部の底部が狭くなるよう、又凹部の底部が広くなるよう、上記凸部の片側辺を斜めに傾斜する傾斜部を形成して凸部と凹部の底部の寸法を小幅板の幅寸法と同一とし、さらに上記凸部の小幅板片側部にも同様の斜めに傾斜する傾斜部を形成した凹凸部を有し、この凹凸部を、小幅板の長手方向に交互に形成して構成してある小幅板。
【請求項２３】
表裏の同一位置に凸部と凹部を配置してある上記請求項２２に記載の小幅板。
【請求項２４】
表裏の同一位置に凸部同士と凹部同士を配置してある上記請求項２２に記載の小幅板。
【請求項２５】
上記請求項１６に記載の接着剤を使用しない無垢木材集成パネルに使用する小幅板であって、表面に、小幅板の長手方向に小幅板の幅寸法の２倍の寸法より僅かに大きい寸法からなる凸部と、小幅板の幅寸法の２倍の寸法より僅かに小さい寸法からなる凹部を小幅板の幅全部を占めて形成し、それぞれの上記凸部の底部が狭くなるよう、又凹部の底部が広くなるよう、上記凹部の小幅板長手方向両側辺に斜めに傾斜する傾斜部を形成して凸部と凹部の底部の寸法を小幅板の幅寸法の２倍の寸法とする一方、小幅板の裏面の上記表面の凹部と対応する位置に、小幅板の幅寸法の２倍の寸法からなる凸部を形成し、その片側辺に上記傾斜部と同様の傾斜部を形成し、反対側に角を削除した形状の傾斜部を形成してある小幅板。
【発明の詳細な説明】
【技術分野】
【０００１】
本発明は、有害物質を含まない、例えば住宅建築に有効活用できる接着剤を使用しない無垢木材集成パネル及びこの無垢木材集成パネルに使用する小幅板に関する。
【背景技術】
【０００２】
山の森林はダムの役割をしている。そこで山が荒れると水源維持ができなくなる。即ち、山林は人手をかけて管理しないと、風圧、積雪によって倒木に至り、有効に保存されない。特に人工林は、間伐、下草刈、枝打（年間６〜７回）の手間をかけないと有効に保存されない。ところが、現状では山林を皆伐し、山出しを行っても、人件費もでないから人手をかけて管理していない山林が多い。そこで、国がとりあえず山を守るため、皆伐の予算を出して木を切っている。しかし現状ではこの皆伐材、間伐材が使用されることなく無駄になっている。  
【０００３】
一方、近年では日本の木材需要は、地球環境を破壊しながら輸入材に依存している。林野庁の集計では、国産材の自給率は平均２０％を切る状態である。
わが国でも地球環境のため、森林保全のため、皆伐、間伐を行い、資源の無駄使いが行われている。
建築環境資材としての木材は、３０年、５０年、１００年経たないと使えないので、本来大事に使わなければならないはずである。
国産材の振興を図り、決して無駄にすることなく、森林資源の木材を住宅建築に有効に活用すること、そして、人工林と自然林のバランスを取りつつ、地球環境を維持することが、求められている。
【０００４】
そこで、フリーサイズ、フリー形状、フリー断面の無垢木材パネル（集成単体材）は、厚さ、形状、面積の制約を受けず、無垢木材パネルの組立てが可能であり、ホルムアルデヒド等の有害物質を含まない、地球環境、地域環境、住人に負荷をかけないエコロジー建築に必要な無垢フリーサイズパネルの開発が求められており、既に提案されている（例えば特許文献１）。
【特許文献１】特表２００２−５２０１９８号公報
【０００５】
上記無垢フリーサイズパネルは、地域木材使用、輸送コスト削減、ＣＯ２排出量の低減ができ、断熱、調湿、吸音、遮音効果に優れ、省エネルギーが図れ、製造、輸送、廃棄、人工材料等取り換え等による環境負荷の低減も図れる。
しかも、葉干し乾燥した木材を柾目板状に製材し野積み乾燥後、含水率１５％程度の板材を加工することが板の反り狂いを押え、強度の増した良質の部材提供が可能であり、部材の標準化と建築の生産管理、品質管理、在庫管理も可能となり好ましい。
さらに、人に対して安全、健康、癒し、やすらぎの付加価値を提供し、建物の価値評価を増すことができる。
即ち、このフリーサイズパネルを使用した木造壁式構造は、耐震的な建物を容易に造ることができ、部屋を構成している間仕切壁、天井、２階床板部分を容易に変えることができ、家族構成、ライフスタイルの変化に容易に対応できる。
また、このフリーサイズパネルは軸組構造、木質壁式構造、パネル工法、鉄骨ＲＣ造り建物にも使用可能であり付加価値効果大である。
【発明の開示】
【発明が解決しようとする課題】
【０００６】
上記特許文献１の先行例は、上記した通り、人的環境、地球環境にきわめて好ましい。
本発明は、この公知の無垢木材集成パネルの有効性はそのまま保ち、同じ厚さのパネルであれば、より高い強度を発揮すると共にパネルの面積も大きく広げることができ、より多くの用途に適応できる新規な接着剤を使用しない無垢木材集成パネル及びこの無垢木材集成パネルに使用する小幅板を提供する。
【課題を解決するための手段】
【０００７】
そのために、本発明接着剤を使用しない無垢木材集成パネルは、小幅板の表裏面に、一辺が小幅板の幅寸法と同一の寸法からなる正方形形状の凹凸部を有し、この凹凸部を、小幅板の長手方向に交互に形成して構成した凹凸部を有する内部構造用小幅板を多数設け、複数の内部構造用小幅板をそれぞれの凹凸部の位置を交互にずらせて横並びに並設し、同じく、複数の内部構造用小幅板を上記横並びに並設した小幅板に直交させて重ね、それぞれの凹凸部を噛み合わせて二層構造とし、少なくともこの二層構造を含んでいるものである。
【０００８】
また、本発明接着剤を使用しない無垢木材集成パネルは、小幅板の表裏面に、小幅板の長手方向に小幅板の幅寸法より僅かに大きい寸法からなる凸部と、小幅板の幅寸法より僅かに小さい寸法からなる凹部を小幅板の幅全部を占めて形成し、それぞれの上記凸部の底部が狭くなるよう、又凹部の底部が広くなるよう、上記凸部の片側辺を斜めに傾斜する傾斜部を形成して、凸部と凹部の底部の寸法を小幅板の幅寸法と同一とし、さらに上記凸部の小幅板片側部にも同様の斜めに傾斜する傾斜部を形成した凹凸部を有し、この凹凸部を、小幅板の長手方向に交互に形成して構成した、凹凸部を有する内部構造用小幅板を多数設け、複数の内部構造用小幅板を同一方向に指向してそれぞれの凹凸部の位置を交互にずらせて横並びに並設し、同じく複数の内部構造用小幅板を上記横並びに並設した小幅板に直交させて重ね、それぞれの凹凸部を噛み合わせ係合させて二層構造とし、少なくともこの二層構造を含んでいるものである。
【０００９】
さらに、本発明接着剤を使用しない無垢木材集成パネルは、表面に、小幅板の長手方向に小幅板の幅寸法の２倍の寸法より僅かに大きい寸法からなる凸部と、小幅板の幅寸法の２倍の寸法より僅かに小さい寸法からなる凹部を小幅板の幅全部を占めて形成し、それぞれの上記凸部の底部が狭くなるよう、又凹部の底部が広くなるよう、上記凹部の小幅板長手方向両側辺に斜めに傾斜する傾斜部を形成して、凸部と凹部の底部の寸法を小幅板の幅寸法の２倍の寸法とする一方、小幅板の裏面の上記表面の凹部と対応する位置に、小幅板の幅寸法の２倍の寸法からなる凸部を形成し、その片側辺に上記傾斜部と同様の傾斜部を形成し、反対側に角を削除した形状の傾斜部を形成して、表裏に凹凸部を有する内部構造用小幅板を設け、この内部構造用小幅板を、上記裏面の凸部の片側辺の傾斜部が外側になるよう一対の小幅板を組んで、一対からなる内部構造用小幅板の組とし、この一対からなる内部構造用小幅板の組を多数設け、複数の内部構造用小幅板の組を同一方向に指向してそれぞれの凹凸部の位置をずらせて横並びに並設し、同じく複数の内部構造用小幅板の組を上記横並びに並設した小幅板に直交させて重ね、それぞれを凹凸部を噛み合わせ係合させて二層構造とし、少なくともこの二層構造を含んでいるものである。
【００１０】
そして、本発明接着剤を使用しない無垢木材集成パネルは、二層構造の片面又は両面に、さらに複数の内部構造用小幅板を直交して重ねて相互の凹凸部を噛み合わせて複層構造とし、この複層構造を含んでいるものである。
上記凹凸部を有する内部構造用小幅板の表裏の同一位置に凸部と凹部を配置してあるものである。
また、上記凹凸部を有する内部構造用小幅板の表裏の同一位置に凸部同士と凹部同士を配置してあってもよい。
さらに、上記凹凸部の配置が同一形状からなる多数の小幅板を交互に直交して重ねて構成してある。
また、上記凹凸部の配置が異なる形状からなる多数の小幅板を交互に直交して重ねて構成してあってもよい。
【００１１】
また、本発明接着剤を使用しない無垢木材集成パネルは、表面を平面とし、裏面に上記同一寸法の正方形状の凹凸部を長手方向に交互に形成した表面仕上げ用小幅板を設け、一枚の内部構造用小幅板又は上記二層構造もしくは複層構造の表裏面に、上記表面仕上げ用小幅板をそれぞれの凹凸部を噛み合わせて構成してある。
そして、本発明接着剤を使用しない無垢木材集成パネルは、表裏面に、上記正方形状の凹凸部と同一寸法の凸部をその一辺が小幅板の側辺と４５度傾斜させた位置で小幅板の長手方向に連続して設けた斜め配置用小幅板を設け、この斜め配置用小幅板を上記一枚又は複層の内部構造用小幅板に４５度傾斜させて配置し、相互の凹凸部を噛み合わせて構成してある。
さらに、本発明接着剤を使用しない無垢木材集成パネルは、上記凹凸部を噛み合わせて構成した二層構造又は複層構造に、込栓、だぼ、木釘、ネジ釘等を打込み固定してあってもよい。
【００１２】
次に、上記接着剤を使用しない無垢木材集成パネルに使用する本発明小幅板は、表裏面に一辺が小幅板の幅寸法と同一の寸法からなる正方形形状の凹凸部を有し、この凹凸部を、小幅板の長手方向に交互に形成して構成してあるものである。
【００１３】
また、本発明小幅板は、表裏面に、小幅板の長手方向に小幅板の幅寸法より僅かに大きい寸法からなる凸部と、小幅板の幅寸法より僅かに小さい寸法からなる凹部を小幅板の幅全部を占めて形成し、それぞれの上記凸部の底部が狭くなるよう、又凹部の底部が広くなるよう、上記凸部の片側辺を斜めに傾斜する傾斜部を形成して凸部と凹部の底部の寸法を小幅板の幅寸法と同一とし、さらに上記凸部の小幅板片側部にも同様の斜めに傾斜する傾斜部を形成した凹凸部を有し、この凹凸部を、小幅板の長手方向に交互に形成して構成してあるものである。
【００１４】
さらに、本発明小幅板は、表面に、小幅板の長手方向に小幅板の幅寸法の２倍の寸法より僅かに大きい寸法からなる凸部と、小幅板の幅寸法の２倍の寸法より僅かに小さい寸法からなる凹部を小幅板の幅全部を占めて形成し、それぞれの上記凸部の底部が狭くなるよう、又凹部の底部が広くなるよう、上記凹部の小幅板長手方向両側辺に斜めに傾斜する傾斜部を形成して凸部と凹部の底部の寸法を小幅板の幅寸法の２倍の寸法とする一方、小幅板の裏面の上記表面の凹部と対応する位置に、小幅板の幅寸法の２倍の寸法からなる凸部を形成し、その片側辺に上記傾斜部と同様の傾斜部を形成し、反対側に角を削除した形状の傾斜部を形成してあるものである。
【００１５】
そして、本発明小幅板は、表裏の同一位置に凸部と凹部を配置してあるものである。
また、本発明小幅板は、表裏の同一位置に凸部同士と凹部同士を配置してあってもよい。
【発明の効果】
【００１６】
本発明接着剤を使用しない無垢木材集成パネルは、小幅板の表裏面に、一辺が小幅板の幅寸法と同一の寸法からなる正方形形状の凹凸部を有し、この凹凸部を、小幅板の長手方向に交互に形成して構成した凹凸部を有する内部構造用小幅板を多数設け、複数の内部構造用小幅板をそれぞれの凹凸部の位置を交互にずらせて横並びに並設し、同じく複数の内部構造用小幅板を上記横並びに並設した小幅板に直交させて重ね、それぞれの凹凸部を噛み合わせて二層構造とし、少なくともこの二層構造を含んでいるものであるから、上記小幅板の凹凸部の噛み合わせにより、パネルの平面方向に直交する方向の摩擦接合力が増し、だぼ、木釘等の結合具を用いなくとも、無垢木材集成パネルを提供できる効果がある。  また、上記凹凸部の噛み合わせ構造により、凹凸部のない小幅板の集成パネルより、強度の大きい無垢木材集成パネルを提供できる効果がある。
さらに、小幅板を延長接合することにより、パネルを平面上縦横方向に自由に延長できる効果も有する。
【００１７】
また、本発明接着剤を使用しない無垢木材集成パネルは、小幅板の表裏面に、小幅板の長手方向に小幅板の幅寸法より僅かに大きい寸法からなる凸部と、小幅板の幅寸法より僅かに小さい寸法からなる凹部を小幅板の幅全部を占めて形成し、それぞれの上記凸部の底部が狭くなるよう、又凹部の底部が広くなるよう、上記凸部の片側辺を斜めに傾斜する傾斜部を形成して凸部と凹部の底部の寸法を小幅板の幅寸法と同一とし、さらに上記凸部の小幅板片側部にも同様の斜めに傾斜する傾斜部を形成した凹凸部を有し、この凹凸部を、小幅板の長手方向に交互に形成して構成した、凹凸部を有する内部構造用小幅板を多数設け、複数の内部構造用小幅板を同一方向に指向してそれぞれの凹凸部の位置を交互にずらせて横並びに並設し、同じく複数の内部構造用小幅板を上記横並びに並設した小幅板に直交させて重ね、それぞれの凹凸部を噛み合わせ係合させて二層構造とし、少なくともこの二層構造を含んでいるものであるから、傾斜部を有する凹凸部の噛み合わせ係合構造により、パネルの一体化結合がより大きくなり、だぼ、木釘等の結合具を不要とし、より強度の高い無垢木材集成パネルを提供できる効果がある。
【００１８】
さらに、本発明接着剤を使用しない無垢木材集成パネルは、表面に、小幅板の長手方向に小幅板の幅寸法の２倍の寸法より僅かに大きい寸法からなる凸部と、小幅板の幅寸法の２倍の寸法より僅かに小さい寸法からなる凹部を小幅板の幅全部を占めて形成し、それぞれの上記凸部の底部が狭くなるよう、又凹部の底部が広くなるよう、上記凹部の小幅板長手方向両側辺に斜めに傾斜する傾斜部を形成して凸部と凹部の底部の寸法を小幅板の幅寸法の２倍の寸法とする一方、小幅板の裏面の上記表面の凹部と対応する位置に、小幅板の幅寸法の２倍の寸法からなる凸部を形成し、その片側辺に上記傾斜部と同様の傾斜部を形成し、反対側に角を削除した形状の傾斜部を形成して、表裏に凹凸部を有する内部構造用小幅板を設け、この内部構造用小幅板を、上記裏面の凸部の片側辺の傾斜部が外側になるよう一対の小幅板を組んで、一対からなる内部構造用小幅板の組とし、この一対からなる内部構造用小幅板の組を多数設け、複数の内部構造用小幅板の組を同一方向に指向してそれぞれの凹凸部の位置をずらせて横並びに並設し、同じく複数の内部構造用小幅板の組を上記横並びに並設した小幅板に直交させて重ね、それぞれを凹凸部を噛み合わせ係合させて二層構造とし、少なくともこの二層構造を含んでいるものであるから、一対の内部構造用小幅板を組として構成し、パネルの組み込み作業を容易とする効果がある。
【００１９】
また、本発明接着剤を使用しない無垢木材集成パネルは、表面を平面とし、裏面に上記同一寸法の正方形状の凹凸部を長手方向に交互に形成した表面仕上げ用小幅板を設け、一枚の内部構造用小幅板又は上記二層構造もしくは複層構造の表裏面に、上記表面仕上げ用小幅板をそれぞれの凹凸部を噛み合わせて構成してあるから、表面が平面である無垢木材集成パネルを提供できる効果がある。
【００２０】
そして、本発明接着剤を使用しない無垢木材集成パネルは、表裏面に、上記正方形状の
凹凸部と同一寸法の凸部をその一辺が小幅板の側辺と４５度傾斜させた位置で小幅板の長手方向に連続して設けた斜め配置用小幅板を設け、この斜め配置用小幅板を上記一枚または複層の内部構造用小幅板に４５度傾斜させて配置し、相互の凹凸部を噛み合わせて構成してあるから、小幅板を直交構成にするだけでなく、４５度斜めに配置して、より郷土の大きい無垢木材集成パネルを提供できる効果がある。
【００２１】
次に、上記接着剤を使用しない無垢木材集成パネルに使用する本発明小幅板は、表裏面に一辺が小幅板の幅寸法と同一の寸法からなる正方形形状の凹凸部を有し、この凹凸部を、小幅板の長手方向に交互に形成して構成してあるものであるから、この小幅板を使用して、強度の大きい無垢木材集成パネルを生産提供できる効果がある。
【００２２】
また、本発明小幅板は、表裏面に、小幅板の長手方向に小幅板の幅寸法より僅かに大きい寸法からなる凸部と、小幅板の幅寸法より僅かに小さい寸法からなる凹部を小幅板の幅全部を占めて形成し、それぞれの上記凸部の底部が狭くなるよう、又凹部の底部が広くなるよう、上記凸部の片側辺を斜めに傾斜する傾斜部を形成して凸部と凹部の底部の寸法を小幅板の幅寸法と同一とし、さらに上記凸部の小幅板片側部にも同様の斜めに傾斜する傾斜部を形成した凹凸部を有し、この凹凸部を、小幅板の長手方向に交互に形成して構成してあるものであるから、一体化結合がより大きく、だぼ、木釘等結合具を不要とし、より強度の大きい無垢木材集成パネルを生産提供できる効果がある。
【００２３】
さらに、本発明小幅板は、表面に、小幅板の長手方向に小幅板の幅寸法の２倍の寸法より僅かに大きい寸法からなる凸部と、小幅板の幅寸法の２倍の寸法より僅かに小さい寸法からなる凹部を小幅板の幅全部を占めて形成し、それぞれの上記凸部の底部が狭くなるよう、又凹部の底部が広くなるよう、上記凹部の小幅板長手方向両側辺に斜めに傾斜する傾斜部を形成して凸部と凹部の底部の寸法を小幅板の幅寸法の２倍の寸法とする一方、小幅板の裏面の上記表面の凹部と対応する位置に、小幅板の幅寸法の２倍の寸法からなる凸部を形成し、その片側辺に上記傾斜部と同様の傾斜部を形成し、反対側に角を削除した形状の傾斜部を形成してあるものであるから、パネルの組み込み作業を容易とした無垢木材集成パネルを生産提供できる効果がある。
【発明を実施するための最良の形態】
【００２４】
本発明の接着剤を使用しない無垢木材集成パネル及びこの無垢木材集成パネルに使用する小幅板の詳細について、以下に示す好ましいいくつかの実施例により説明する。
【実施例１】
【００２５】
本発明の接着剤を使用しない無垢木材集成パネル及びこの無垢木材集成パネルに使用する小幅板の好ましい基本的な第１実施例を図１乃至図７に示してある。
図中符号１が内部構造用の小幅板で、その表裏面に一辺が小幅板１の幅寸法と同一の寸法からなる正方形形状の凸部２と凹部３とを形成してある。この凸部２と凹部３とは、小幅板１の長手方向に交互に形成して構成してあり、小幅板１の表裏の同一位置に凸部２と凹部３とを配置して構成してある。
図５には表面仕上げ用の小幅板４を示してあり、表面を平面とし、裏面に上記内部構造用小幅板１の凸部２及び凹部３と同様の凸部２と凹部３を小幅板４の長手方向に交互に形成してある。
【００２６】
本発明の接着剤を使用しない無垢木材集成パネルでは、上記内部構造用小幅板１を多数設け、複数の内部構造用小幅板１を、それぞれの凸部２と凹部３を交互にずらせて図６に示すように横並びに並設し、同じく複数の内部構造用小幅板１を、上記横並びに並設した小幅板１に直交して重ね、それぞれの凸部２と凹部３とを噛み合わせて二層構造とし、少なくともこの二層構造又は三層構造以上の複層構造としてあり、さらに、この二層構造又は三層構造以上の複層構造の表裏面に、表面仕上げ用小幅板４をその凸部２と内部構造用小幅板１の凹部３と、また表面仕上げ用小幅板４の凹部３と内部構造用小幅板１の凸部２とを噛み合わせて無垢木材集成パネルを構成してある（図６、７図示）
もっとも、単に一枚の内部構造用小幅板１の表裏面に表面仕上げ用小幅板４を重ね、凹凸部を噛み合わせて無垢木材集成パネルを構成してもよい。
【００２７】
上記好ましい基本的な第１実施例では、内部構造用小幅板１，１同士の凸部２と凹部３が噛み合っており、また、内部構造用小幅板１と表面仕上げ用小幅板４の凸部２と凹部３とが噛み合っており、これら凸部２と凹部３とのパネルの平面と直交する二面が摩擦接合し、この摩擦接合によって結合力が増し、パネルの一体化が強くなり、パネルの一体化のためのだぼ、木釘が必要ではないが、よりパネルの一体化を強化するために、だぼ、木釘等の結合具５を打込むことが効果的である。
【実施例２】
【００２８】
次に、本発明の接着剤を使用しない無垢木材集成パネル及びこの無垢木材集成パネルに使用する小幅板の好ましい第２実施例を図８乃至図１４に示してある。
この第２実施例は、第１実施例とほとんど相違なく、従って、同じ符号を付して示してある。そして、この第２実施例が第１実施例と相違するところは、内部構造用小幅板１の凸部２と凹部３の配置が相違するだけで、この第２実施例では、小幅板１の表裏の同一位置に凸部２同士及び凹部３同士を配置してあることで、その他は第１実施例と全く同様である。
【実施例３】
【００２９】
図１５乃至図２５に本発明の接着剤を使用しない無垢木材集成パネル及びこの無垢木材集成パネルに使用する小幅板の第３実施例を示してある。
この実施例では、凹凸部の配置が異なる形状からなる多数の小幅板を交互に直交して重ねて構成してある。
即ち、第１実施例に示した内部構造用小幅板１と同様に表裏の同一位置に凸部２と凹部３を配置し、しかも、凸部２の高さ及び凹部３の深さを大きくした内部構造用小幅板７と、第２実施例に示した内部構造用小幅板１と同様に表裏の同一位置に凸部２同士と凹部３同士を配置し、その凸部２の高さと凹部３の深さを大きくした内部構造用小幅板８を多数設けてある。
そして図２１乃至図２３に表面用仕上げ用小幅板９を示してあり、表面を平面とし、裏面に第１実施例の凸部２及び凹部３より高さ及び深さを大きくした凸部２及び凹部３を形成してある。
【００３０】
そして、この第３実施例では、上記内部構造用小幅板７と８を多数設け、第１実施例及び第２実施例同様、小幅板の凸部２と凹部３を交互にずらせて図２４に示すように横並びに並設し、小幅板７と８とを交互に重ねてそれぞれの凸部２と凹部３を噛み合わせて二層構造又は複層構造としてある。この二層構造又は複層構造の表裏に表面仕上げ用小幅板９を重ね凹凸部を噛み合わせて組んである。
この実施例では、凸部２と凹部３とがその周囲四面で接合し、その摩擦接合強度が高く、一体化強度を高めることができる。
【実施例４】
【００３１】
次に、図２６乃至図３２に斜め配置用の内部構造用小幅板１１と表面仕上げ用小幅板１４を使用した実施例を示してある。この斜め配置用の小幅板１１は、上記第１実施例及び第２実施例の凸部２及び凹部３と同一寸法の凸部１２を、その一辺が小幅板１１，１４の側辺と４５度傾斜させた位置で、小幅板１１，１４の長手方向に連続して設けてある。そして、この斜め配置用の小幅板１１，１４を第１実施例又は第２実施例の組まれたパネルの小幅板に対して４５度傾斜させて配置し、相互の凹凸部を噛み合わせて構成するものである（図３２図示）。
【実施例５】
【００３２】
さらに図３３乃至図４０に、本発明の接着剤を使用しない無垢木材集成パネル及びこの無垢木材集成パネルに使用する小幅板の第５実施例を示してある。この実施例では、図中符号２１が内部構造用小幅板で、この小幅板２１の表裏面の長手方向に、この小幅板２１の幅寸法より僅かに大きい寸法からなる凸部２２と小幅板２１の幅寸法より僅かに小さい寸法からなる凹部２３とを小幅板の幅全部を占めて交互に形成してある。そして、この第５実施例では、小幅板２１の表裏の同一位置に、凸部２２と凹部２３とを配置して設けてある。
【００３３】
そして、この実施例では、上記凸部２２の底部が狭くなるよう、また、凹部２３の底部が広くなるよう、上記凸部２２の片側辺を斜めに傾斜するよう傾斜部２５を形成して、凸部２２と凹部２３の底部の寸法を小幅板２１の幅寸法と同一にしてある。さらに、上記凸部２２の小幅板片側部にも同様の斜めに傾斜する傾斜部２６を形成してある。
図３７及び図３８に表面仕上げ用小幅板２４を示してあり、この表面仕上げ用小幅板２４は、その表面を平面とし、裏面に上記凸部２２及び凹部２３と同様の凸部２２と凹部２３を設けてある。
【００３４】
この実施例においても、上記第１及び第２実施例と同様に多数の小幅板を設け、複数の内部構造用小幅板２１を同一方向に指向して、それぞれの凸部２２及び凹部２３の位置を交互にずらせて横並びに並設し、同じく複数の内部構造用小幅板２１を上記横並びに並設した小幅板に直交させて重ね、それぞれの凸部２２と凹部２３を噛み合わせ係合させて二層構造又は三層以上の複層構造とする。
この際、相互の凸部２２の傾斜部２５，２５を係合させるため、小幅板２１を斜めにして位置合わせして重ねてもよいが，傾斜部と反対の垂直部を木殺しして重ね、木殺しした部分を復元させるようにしてもよい。
【実施例６】
【００３５】
次に、本発明の接着剤を使用しない無垢木材集成パネル及びこの無垢木材集成パネルに使用する小幅板の第６実施例を図４１乃至図４８に示してある。この第６実施例では、上記第５実施例とほとんど相違がなく、従って、同じ符号を付して示してある。この第６実施例が第５実施例と相違するところは、内部構造用小幅板２１の凸部２２と凹部２３の配置が相違するだけであり、この第６実施例では、小幅板２１の表裏の同一位置に凸部２２同士及び凹部２３同士を配置してある。その他は第５実施例と全く同様である。
【実施例７】
【００３６】
さらに、本発明の接着剤を使用しない無垢木材集成パネル及びこの無垢木材集成パネルに使用する小幅板の第７実施例を図４９乃至図６１に示してある。図中符号３１が内部構造用小幅板で、その表面の長手方向に小幅板の幅寸法の２倍の寸法より僅かに大きい寸法からなる凸部３２と，小幅板３１の幅寸法の２倍の寸法より僅かに小さい寸法からなる凹部３３を小幅板３１の幅全部を占めて形成してある。そして、それぞれの凸部３２の底部が狭くなるよう、又凹部３３の底部が広くなるよう、上記凹部３３の小幅板長手方向両側辺に斜めに傾斜する傾斜部３５を形成して凸部３２と凹部３３の底部の寸法を小幅板３１の幅寸法の２倍としてある。
【００３７】
一方、上記小幅板３１の裏面の上記表面の凹部３３と対応する位置に、小幅板３１の幅寸法の２倍の寸法からなる凸部３２を形成し、その片側辺に上記傾斜部と同様の傾斜部３６を形成し、反対側の角を削除した形状の傾斜部３７を形成してある。そして、図中３４と３８が表面仕上げ用小幅板で、いずれも片側表面を平面としてある。そして、表面仕上げ用小幅板３４の反対面に上記内部構造用小幅板３１の表面の凹凸部と同様の凸部３２と凹部３３を形成してある。一方、表面仕上げ用小幅板３８の反対面には、内部構造用小幅板３１の裏面の凹凸部と同様の凸部３２と凹部３３を形成してある。
【００３８】
この第７実施例を組んでパネルを構成するには、図６０に示すように内部構造用小幅板３１をその裏面の凸部３２の片側辺の傾斜部３６が外側になるよう、一対の小幅板３１を組んで一対からなる内部構造用小幅板の組とし、この一対からなる内部構造用小幅板３１の組を多数設け、複数の内部構造用小幅板３１の組を同一方向に指向して、それぞれの凹凸部の位置をずらせて横並びに並設し、同じく複数の内部構造用小幅板３１の組を上記横並びに並設した小幅板に直交させて重ね、それぞれ凸部３２と凹部３３とを噛み合わせ係合させて二層又は複層構造としてある。
【００３９】
そして、この第７実施例のパネルを組むには、図６０に示すように一対からなる内部構造小幅板３１，３１を、その表面が拡がる方向に傾けて、裏面の凸部３２の外側の傾斜部３６を下層の小幅板３１の凹部３３の両側の傾斜部３５に係合するよう位置合わせをし、小幅板３１，３１を垂直になるよう合体すれば、容易に組み込むことができる。
【図面の簡単な説明】
【００４０】
【図１】本発明の接着剤を使用しない無垢木材集成パネルの基本的な第１実施例の内部構造用小幅板の側面図。
【図２】図１上Ａ−Ａ線に沿う断面図。
【図３】図１図示の第１実施例の平面図。
【図４】図１図示の第１実施例の斜面図。
【図５】図１実施例の第１実施例のための表面仕上げ用小幅板の側面図。
【図６】上記第１実施例のパネルの断面図。
【図７】図６図示の第１実施例パネルの分解斜視図。
【図８】同じく本発明の接着剤を使用しない無垢木材集成パネルの基本的な第２実施例の内部構造用小幅板の側面図。
【図９】図８上Ｂ−Ｂ線に沿う断面図。
【図１０】図８図示の第２実施例の平面図。
【図１１】図８図示の第２実施例の斜面図。
【図１２】図８実施例の第２実施例のための表面仕上げ用小幅板の側面図。
【図１３】上記第２実施例のパネルの断面図。
【図１４】図１３図示の第２実施例パネルの分解斜視図。
【図１５】同じく本発明の接着剤を使用しない無垢木材集成パネルの第３実施例の内部構造用小幅板の側面図。
【図１６】図１５上Ｃ−Ｃ線に沿う断面図。
【図１７】図１５図示の第３実施例の斜面図。
【図１８】同じく本発明の接着剤を使用しない無垢木材集成パネルの第３実施例の別の内部構造用小幅板の側面図。
【図１９】図１８上Ｄ−Ｄ線に沿う断面図。
【図２０】図１８図示の第３実施例の斜面図。
【図２１】上記第３実施例のための表面仕上げ用小幅板の側面図。
【図２２】図２１上Ｅ−Ｅ線に沿う断面図。
【図２３】図２１図示の表面仕上げ用小幅板の斜面図。
【図２４】図１５及び図１８図示と異なる形状の小幅板を使用する上記第３実施例のパネルの断面図。
【図２５】図２４図示の第３実施例パネルの分解斜視図。
【図２６】斜め配置用小幅板の側面図。
【図２７】図２６図示の斜め配置用小幅板の平面図。
【図２８】上記斜め配置用小幅板の斜面図。
【図２９】斜め配置用であって表面仕上げ用小幅板の側面図。
【図３０】図２９図示の表面仕上げ用小幅板の平面図。
【図３１】図２９図示の表面仕上げ用小幅板の斜面図。
【図３２】斜め配置用の小幅板の使用状況を示す斜視図。
【図３３】本発明の接着剤を使用しない無垢木材集成パネルの第４実施例の内部構造用小幅板の一部の側面図。
【図３４】図３３上Ｆ−Ｆ線に沿う断面図。
【図３５】図３３図示の第４実施例の平面図。
【図３６】図３３図示の第４実施例の斜面図。
【図３７】図３３図示の第４実施例のための表面仕上げ用小幅板の側面図。
【図３８】図３７上Ｇ−Ｇ線に沿う断面図。
【図３９】上記第４実施例のパネルの断面図。
【図４０】図３９図示の第４実施例パネルの分解斜視図。
【図４１】本発明の接着剤を使用しない無垢木材集成パネルの第５実施例の内部構造用小幅板の一部の側面図。
【図４２】図４１上Ｈ−Ｈ線に沿う断面図。
【図４３】図４１図示の第５実施例の平面図。
【図４４】図４１図示の第５実施例の斜面図。
【図４５】図４１図示の第５実施例のための表面仕上げ用小幅板の側面図。
【図４６】図４５上Ｉ−Ｉ線に沿う断面図。
【図４７】上記第５実施例のパネルの断面図。
【図４８】上記の第５実施例パネルの分解斜視図。
【図４９】本発明の接着剤を使用しない無垢木材集成パネルの第６実施例の内部構造用小幅板の一部の側面図。
【図５０】図４９上Ｊ−Ｊ線に沿う断面図。
【図５１】図４９上Ｋ−Ｋ線に沿う断面図。
【図５２】図４９図示の第６実施例の平面図。
【図５３】図４９図示の第６実施例の斜面図。
【図５４】図４９図示の第６実施例のための表面仕上げ用小幅板の側面図。
【図５５】図５４上Ｌ−Ｌ線に沿う断面図。
【図５６】図５４上Ｍ−Ｍ線に沿う断面図。
【図５７】同じく図４９図示の第６実施例のための表面仕上げ用小幅板の側面図。
【図５８】図５４上Ｎ−Ｎ線に沿う断面図。
【図５９】図５４上Ｏ−Ｏ線に沿う断面図。
【図６０】図５４図示の第６実施例の組み込み状況を示す断面図。
【図６１】上記の第６実施例パネルの断面図。
【符号の説明】
【００４１】
１，７，８，１１，２１，３１  内部構造用小幅板
２，１２，２２，３２  凸部
３，２３，３３  凹部
４，９，１４，２４，３４，３８  表面仕上げ用小幅板
５  結合具
２５，２６，３５，３６，３８  傾斜部
【図１】
2005074817.tif 000003
【図２】
2005074817.tif 000004
【図３】
2005074817.tif 000005
【図４】
2005074817.tif 000006
【図５】
2005074817.tif 000007
【図６】
2005074817.tif 000008
【図７】
2005074817.tif 000009
【図８】
2005074817.tif 000010
【図９】
2005074817.tif 000011
【図１０】
2005074817.tif 000012
【図１１】
2005074817.tif 000013
【図１２】
2005074817.tif 000014
【図１３】
2005074817.tif 000015
【図１４】
2005074817.tif 000016
【図１５】
2005074817.tif 000017
【図１６】
2005074817.tif 000018
【図１７】
2005074817.tif 000019
【図１８】
2005074817.tif 000020
【図１９】
2005074817.tif 000021
【図２０】
2005074817.tif 000022
【図２１】
2005074817.tif 000023
【図２２】
2005074817.tif 000024
【図２３】
2005074817.tif 000025
【図２４】
2005074817.tif 000026
【図２５】
2005074817.tif 000027
【図２６】
2005074817.tif 000028
【図２７】
2005074817.tif 000029
【図２８】
2005074817.tif 000030
【図２９】
2005074817.tif 000031
【図３０】
2005074817.tif 000032
【図３１】
2005074817.tif 000033
【図３２】
2005074817.tif 000034
【図３３】
2005074817.tif 000035
【図３４】
2005074817.tif 000036
【図３５】
2005074817.tif 000037
【図３６】
2005074817.tif 000038
【図３７】
2005074817.tif 000039
【図３８】
2005074817.tif 000040
【図３９】
2005074817.tif 000041
【図４０】
2005074817.tif 000042
【図４１】
2005074817.tif 000043
【図４２】
2005074817.tif 000044
【図４３】
2005074817.tif 000045
【図４４】
2005074817.tif 000046
【図４５】
2005074817.tif 000047
【図４６】
2005074817.tif 000048
【図４７】
2005074817.tif 000049
【図４８】
2005074817.tif 000050
【図４９】
2005074817.tif 000051
【図５０】
2005074817.tif 000052
【図５１】
2005074817.tif 000053
【図５２】
2005074817.tif 000054
【図５３】
2005074817.tif 000055
【図５４】
2005074817.tif 000056
【図５５】
2005074817.tif 000057
【図５６】
2005074817.tif 000058
【図５７】
2005074817.tif 000059
【図５８】
2005074817.tif 000060
【図５９】
2005074817.tif 000061
【図６０】
2005074817.tif 000062
【図６１】
2005074817.tif 000063